(57)【要約】【課題】外壁板を手間をかけないで施工でき、さらに外装壁の意匠性を好適に維持できる外壁板の接続部材を提供する。【解決手段】外壁板の接続部材１０は、外壁板１３の横継ぎ目１４Ｂのそれぞれの裏面側に配置される基板２０と、この基板２０の外壁板１３に対向する面２１に立設され、外壁板１３の横継ぎ目１４Ｂに配置される支持部材２２と、この支持部材２２の先端２３に設けられて、外壁板１３間に形成された接合段部２４に介在される係合爪板２５とからなる。【選択図】　図２
2004052242.tif 000002
【特許請求の範囲】
【請求項１】
下地材から離れた位置に外壁板間の縦継ぎ目が存在する場合に、これらの外壁板の横継ぎ目の厚み方向のずれを防止する接続部材であって、
前記外壁板の横継ぎ目のそれぞれの裏面側に配置される基板と、
この基板の外壁板に対向する面に立設され、前記外壁板の横継ぎ目に配置される支持部材と、
この支持部材の先端に設けられて、前記外壁板間に形成された接合段部に介在される係合爪板とからなる外壁板の接続部材。
【請求項２】
前記基板の外壁板に対向する面に、この外壁板に向けて傾斜状に突出された係止板が形成され、この係止板と係合爪板とで外壁板を挟み込むことを特徴とする請求項１に記載した外壁板の接続部材。
【請求項３】
前記基板に、係合爪板および係止板が断続的に備えられていることを特徴とする請求項１に記載した外壁板の接続部材。
【発明の詳細な説明】
【０００１】
【発明の属する技術分野】
本発明は外壁板の接続部材に係り、例えば木造建築などの外装を装飾するための外壁板の接続部材に関する。
【０００２】
【従来の技術】
従来、複数の外壁板を施工する際には、これらの外壁板の継ぎ目を接続する必要があるが、その方法として外壁板の継ぎ目を柱若しくは胴縁などに取付ける方法が再用されている。
【０００３】
具体的には、図７に示すように柱１００若しくは胴縁１０１間のモジュールに合わせて外壁板１０２の働き幅を割り付けし、柱１００若しくは胴縁１０１に留め金具１０４を釘１０５で取り付け、この留め金具１０４を介して外壁板１０２間の継ぎ目１０３を柱１００若しくは胴縁１０１に係止する。
このように、柱１００若しくは胴縁１０１を利用して複数の外壁板１０２の継ぎ目１０３を接続することができる。
なお、このような用途に用いられる留め金具は、例えば特開平１０−２０８９号公報に記載れている。
【０００４】
【発明が解決しようとする課題】
しかし、この施工方法では、柱１００若しくは胴縁１０１間のモジュールと外壁板１０２の長辺方向のモジュールが一致しない場合、柱１００若しくは胴縁１０１のないところに外壁板１０２間の継ぎ目１０３がきてしまう可能性がある。
この場合には、外壁板１０２間の継ぎ目１０３を柱１００若しくは胴縁１０１で固定することができないため、外壁板１０２間が厚み方向にずれてしまう等の問題があった。
【０００５】
柱１００若しくは胴縁１０１の上面に外壁板１０２間の継ぎ目１０３がくるように、外壁板１０２を意図的に割り付けることも可能である。しかしながら、この方法を採用すると、外壁板１０２を柱１００若しくは胴縁１０１に合わせて切断する必要があるので、施工手間が増えるという問題があった。
【０００６】
加えて、外壁板１０２を柱１００若しくは胴縁１０１に合わせて切断すると、外壁板１０２間の継ぎ目が増えてしまい、外装壁１０２の意匠性が低下するなどの問題があった。
【０００７】
本発明は、前述した問題点に鑑みてなされたものであり、その目的は、外壁板を手間をかけないで施工でき、さらに外装壁の意匠性を好適に維持できる外壁板の接続部材を提供することにある。
【０００８】
【課題を解決するための手段】
前述した目的を達成するために、本発明は、請求項１に記載したように、下地材から離れた位置に外壁板間の縦継ぎ目が存在する場合に、これらの外壁板の横継ぎ目の厚み方向のずれを防止する接続部材であって、前記外壁板の横継ぎ目のそれぞれの裏面側に配置される基板と、この基板の外壁板に対向する面に立設され、前記外壁板の横継ぎ目に配置される支持部材と、この支持部材の先端に設けられて、前記外壁板間に形成された接合段部に介在される係合爪板とからなることを特徴とする。
【０００９】
このような外壁板の接続部材によれば、外壁板の継ぎ目の裏面側に基板を配置し、外壁板間の接合段部に係合爪板を介在させることにより、基板と係合爪板とで外壁板の継ぎ目を挟み込むことができる。
よって、柱若しくは胴縁などの下地材のないところに外壁板間の継ぎ目がきた場合でも、基板と係合爪板とで外壁板間の厚み方向のずれを防止し、外壁板間を接続することができる。
【００１０】
また、柱若しくは胴縁のモジュールに合わせて外壁板を切断する必要がなくなるので、外壁板を取付ける際の施工手間を省くことができる。
さらに、柱若しくは胴縁のモジュールに合わせて外壁板を切断する必要がないので、外壁板の継ぎ目を減らして意匠性の向上を図ることができる。
【００１１】
また、本発明は、請求項２に記載したように、前記基板の外壁板に対向する面に、この外壁板に向けて傾斜状に突出された係止板が形成され、この係止板と係合爪板とで外壁板を挟み込むことを特徴とする。
【００１２】
基板の外壁板に対向する面に、この外壁板に向けて係止板を傾斜状に突出して、係止板と係合爪板とで外壁板を挟み込むように構成した。よって、外壁板を確実に挟み込むことができるので、基板と係合爪板とで外壁板間の厚み方向のずれを一層良好に防止して、外壁板を意匠的に優れた状態で接続することができる。
【００１３】
さらに、本発明は、請求項３に記載したように、前記基板に、係合爪板および係止板が断続的に備えられていることを特徴とする。
【００１４】
係合爪板および係止板を断続的に備えることにより、外壁板の裏面を伝う水の水はけをよくすることができる。
【００１５】
【発明の実施の形態】
以下、本発明に係る実施形態を図面に基づいて詳細に説明する。なお、以下に説明する各実施形態において、既に図１〜図３において説明した部材等については、図中に同一符号あるいは相当符号を付すことにより説明を簡略化あるいは省略する。
【００１６】
図１に示す第１実施形態の外壁板の接続部材１０は、柱１１或いは胴縁１２などの下地材から離れた位置に外壁板１３の縦継ぎ目１４Ａが存在する場合に、これらの外壁板１３の横継ぎ目１４Ｂの厚み方向、すなわち面内方向（図２に示す裏面１５の方向）および面外方向（図２に示す表面１６の方向）のずれを防止するものである。
【００１７】
なお、外壁板１３としては、例えば窒業系サイディング、木質系セメント板、パルプセメント板、スレート・木毛セメント積層板および繊維強化セメント板からなる群から選ばれる建築用ボードとされ、その縦（高さ）、横、厚みは典型的にそれぞれ２００〜５００ｍｍ、１５００〜３５００ｍｍ、９〜２５ｍｍである。
【００１８】
図２〜図３に示すように、外壁板の接続部材１０は、上下の外壁板１３の横継ぎ目１４Ｂのそれぞれの裏面１５側に配置される基板２０と、この基板２０の外壁板１３に対向する面２１に立設され、外壁板１３の横継ぎ目１４Ｂに配置される支持部材２２と、この支持部材２２の先端２３に設けられて、外壁板１３間に形成された接合段部２４に介在される係合爪板２５とからなる。
【００１９】
基板２０は、図３に示すように略矩形状に形成されたプレート部材であって、このプレート部材の中央に支持部材２２が立設されている。この支持部材２２の先端２３には係合爪板２５の中央が連結されている。
【００２０】
これにより、基板２０の上半分２０Ａと、支持部材２２と、係合爪板２５の上半部２５Ａとで上側溝２７が形成され、基板２０の下半分２０Ｂと、支持部材２２と、係合爪板２５の下半部２５Ｂとで下側溝２８が形成されている。
図２に示すように、上側溝２７には上側の外壁板１３の内側下端部３１が嵌め込まれ、下側溝２８には下側の外壁板１３の内側上端部３２が嵌め込まれる。
【００２１】
係合爪板２５は、上側の外壁板１３と下側の外壁板１３との横継ぎ目１４Ｂに形成される接合段部２４に介在されことで、上側の外壁板１３と下側の外壁板１３との横継ぎ目１４Ｂを接続することができる。
【００２２】
このように、外壁板１３の横継ぎ目１４Ｂの裏面１５側に基板２０を配置し、上下の外壁板１３間の接合段部２４に係合爪板２５を介在させることで、基板２０と係合爪板２５とで上下の外壁板１３の横継ぎ目１４Ｂを挟み込むことができる。
【００２３】
よって、図１に示すように、柱１１若しくは胴縁１２などの下地材のないところ、すなわち下地材から離れた位置に外壁板１３間の縦継ぎ目１４Ａがきた場合でも、基板２０と係合爪板２５とで上下の外壁板１３の裏面１５方向および表面１６方向のずれを防止し、外壁板１３を接続することができる。
【００２４】
また、柱１１若しくは胴縁１２のモジュールに合わせて外壁板１３を切断する必要がなくなるので、外壁板１３を取付ける際の施工手間を省くことができる。
さらに、柱１１若しくは胴縁１２のモジュールに合わせて外壁板１３を切断する必要がないので、外壁板１３の縦継ぎ目１４Ａを減らして意匠性の向上を図ることができる。
【００２５】
つぎに、第２、第３実施形態を図４〜図６に基づいて説明する。
図４〜図５に示す第２実施形態の外壁板の接続部材４０は、基板２０の外壁板１３に対向する面２１に、この外壁板１３に向けて傾斜状に突出された上下の係止板４１が形成され、支持部材２２の先端２３の係合爪板４２が傾斜状に形成され、係止板４１と係合爪板４２とで外壁板１３を挟み込むように構成したものである。
【００２６】
係止板４１は、基板２０のうちの支持部材２２の上下に、略Ｕ字状の切り込み４３を入れ、折曲げ線４４で係合爪板４２に向けて斜めに折り曲げることにより、傾斜状に形成されたフラップである。
係合爪板４２は、上半部４２Ａが基板２０から離れる方向に傾斜状に折り曲げられとともに、下半部４２Ｂが基板２０から離れる方向に傾斜状に折り曲げられている。これにより、係合爪板４２および支持部材２２で略Ｙ字形を形成する。
【００２７】
このように、係止爪板４２の上半部４２Ａおよび下半部４２Ｂを傾斜状に折り曲げることにより、上側溝２７の開口側を広く、底部側を狭く形成するとともに、下側溝２８の開口側を広く、底部側を狭く形成することができる。
よって、上側溝２７に上側の外壁板１３の内側下端部３１を容易に嵌め込み、下側溝２８に下側の外壁板１３の内側上端部３２を嵌め込むことができるので、外壁板の接続部材４０を図５の状態に簡単に施工することができる。
【００２８】
これにより、上下の外壁板１３を確実に挟み込むことができるので、基板２０と係合爪板４２とで外壁板１３の裏面１５方向および表面１６方向のずれを一層良好に防止して、外壁板１３を意匠的に優れた状態で接続することができる。
【００２９】
図６に示す第３実施形態の外壁板の接続部材５０は、係合爪板５１および係止板５２が基板２０に断続的に備えられている。
一例として、係合爪板５１が支持部材５２を介して断続的に基盤２０に所定間隔をおいて３個備えられ、係止板５３が断続的に基盤２０に所定間隔をおいて３個備えられている。
【００３０】
係合爪板５１および係止板５３を断続的に備えることにより、隣接する係合爪板５１間に隙間Ｓ１を形成することができ、隣接する係止板５３間に隙間Ｓ２を形成することができる。
これにより、隙間Ｓ１および隙間Ｓ２を通して水を流すことができるので、図２に示す外壁板１３の裏面１５を伝う水の水はけをよくすることができる。
【００３１】
なお、本発明は、前述した各実施形態に限定されるものでなく、適宜な変形，改良等が可能であり、前述した各実施形態において例示した基板，支持部材，係合爪板，係止板等の材質，形状，寸法，形態，数，配置個所，厚さ寸法等は本発明を達成できるものであれば任意であり、限定されない。
【００３２】
【発明の効果】
本発明によれば、請求項１に記載したように、外壁板の継ぎ目の裏面側に基板を配置し、外壁板間の接合段部に係合爪板を介在させることにより、基板と係合爪板とで外壁板の継ぎ目を挟み込むことができる。
よって、柱若しくは胴縁などの下地材のないところに外壁板間の継ぎ目がきた場合でも、基板と係合爪板とで外壁板間の厚み方向のずれを防止し、外壁板間を接続することができる。
【００３３】
また、柱若しくは胴縁のモジュールに合わせて外壁板を切断する必要がなくなるので、外壁板を取付ける際の施工手間を省くことができる。
さらに、柱若しくは胴縁のモジュールに合わせて外壁板を切断する必要がないので、外壁板の継ぎ目を減らして意匠性の向上を図ることができる。
【００３４】
また、本発明によれば、請求項２に記載したように、基板の外壁板に対向する面に、この外壁板に向けて係止板を傾斜状に突出して、係止板と係合爪板とで外壁板を挟み込むように構成したため、外壁板を確実に挟み込むことができるので、基板と係合爪板とで外壁板間の厚み方向のずれを一層良好に防止して、外壁板を意匠的に優れた状態で接続することができる。
【００３５】
そして、本発明によれば、請求項３に記載したように、係合爪板および係止板を断続的に備えることにより、外壁板の裏面を伝う水の水はけをよくすることができる。
【図面の簡単な説明】
【図１】本発明に係る外壁板の接続部材（第１実施形態）で外壁板の継ぎ目を接続した例を示す斜視図である。
【図２】図１のＡ−Ａ線断面図である。
【図３】本発明に係る外壁板の接続部材の第１実施形態を示す斜視図である。
【図４】本発明に係る外壁板の接続部材の第２実施形態を示す斜視図である。
【図５】本発明に係る第２実施形態の接続部材で外壁板の継ぎ目を接続した例を示す断面図である。
【図６】本発明に係る外壁板の接続部材の第３実施形態を示す斜視図である。
【図７】従来の外壁板の接続部材で外壁板の継ぎ目を接続した例を示す断面図である。
【符号の説明】
１０，４０，５０　外壁板の接続部材
１１　柱（下地材）
１２　胴縁（下地材）
１３　外壁板
１４Ａ　　縦継ぎ目
１４Ｂ　　横継ぎ目
２０　基板
２１　外壁板に対向する面
２２，５２　　支持部材
２３　支持部材の先端
２４　接合段部
２５，４２，５１　係合爪板
４１，５３　　係止板
【図１】
2004052242.tif 000003
【図２】
2004052242.tif 000004
【図３】
2004052242.tif 000005
【図４】
2004052242.tif 000006
【図５】
2004052242.tif 000007
【図６】
2004052242.tif 000008
【図７】
2004052242.tif 000009